(57)【要約】【課題】とうもろこし等の芯から、握力の弱い高齢者や女性であっても、とうもろこしの粒を簡単に採取することができる粒取り具を提供する。【解決手段】ステンレス等の弾性金属材からなる挟持機構を構成する粒取り具で、挟持操作する操作部と、縦断面が円弧状を形成する把持片に刃先を持つ。操作部を握って端側にある凸部と凹部を咬合させ、把持片をとうもろこしの芯面に押圧しながらとうもろこしを回転させることで、とうもろこしの粒を根元から切り取り採取する。なお、把持片の内面にある突条部は、挟持片の長手方向に対して概２０度〜概５０度の交叉角を持ち、とうもろこしを回転させることにより、突条部がとうもろこしの芯の表面に食い込みながら螺旋状の溝を作りながら、把持片の刃先を前へと押し進めることにより、連続的にとうもろこしの粒を切り取って採取することを特徴とする粒取り具。【選択図】図１
2015188749.tif 000002
【特許請求の範囲】
【請求項１】
ステンレス等の弾性金属材からなる長尺帯板の中央をＵ字状に折り返し、左右に挟持片を有する挟持機構を構成して、挟持片の端側を挟持操作する操作部とし、挟持片の内側、即ち相対向する合わせ面にそれぞれが内側へ向けて縦断面が円弧状を形成する短尺状の把持片を挟持具の支点と操作部の間に設け、各把持片の側面の同一方向の一側縁に刃先が同一方向を向くように刃先を形成し、操作部を握って把持部をとうもろこしの芯面に押圧しながらとうもろこしを回転させて、果実粒を連続的に切り取り採取することを特徴とする粒取り具。
【請求項２】
各把持片の内側面に斜めの突条部を有し、或いは断片的な突起を有し、その並ぶ位置関係は挟持片の長手方向に対して概２０度〜概５０度の交叉角を持つことを特徴とする請求項１記載の粒取り具。
【請求項３】
各挟持片の端側を相対向に屈曲させ、それぞれの端部に凸部と凹部の形状を有し、操作部を握ることにより凸部と凹部が咬合することを特徴とする請求項１または請求項２記載の粒取り具。
【発明の詳細な説明】
【技術分野】
【０００１】  本発明は、とうもろこし等の芯から果実粒を簡単な操作で採取することができる、粒取り具に関するものである。
【背景技術】
【０００２】  従来、この種のものは、円筒状に巻き回された板状の部材を用いて、一方の開口部を斜めに切り落とし刃を設けて、とうもろこしの粒を採取するスクレーパーがある。（例えば；特許文献１参照）
【先行技術文献】
【０００３】
【特許文献１】  特開２００４−２７５２４４号  公報
【発明の概要】
【発明が解決しようとする課題】
【０００４】  世界三大穀物の一つと言われるとうもろこしの品種は数多くあり、それぞれに栄養素や食感の異なるものや、太さが違うものや形状が曲がったものなど多様であるが、とうもろこしの先端部はいずれの種においても太さが細くなっているなどの特徴があるため、特許文献１を使用する上では、次のような欠点があった。【０００５】イ．とうもろこしの粒を根元から採取しようとしてスクレーパーを強く握ると、巻き回された円筒径がさらに巻き込まれてとうもろこしを絞め付けてしまうため、スクレーパーを回転させる力加減が難しかった。【０００６】ロ．また、握る力を緩めると、スクレーパーの滑り止め用の突起が設けられていても掌の中で滑るので、強く握る必要があるなど取り扱いが難しかった。【０００７】ハ．スクレーパーは円筒状で、とうもろこしの粒を取り進めると、とうもろこしの芯と接する面積が広くなるので、とうもろこしの芯の軸心が弓形に反って曲がったとうもろこし等では、一部刃が密着しない部分が生じてしまい、刃先がとうもろこしの根元に当たらなくなるため、とうもろこしの粒の取れ方にバラツキが生じてしまう。【０００８】  本発明は、これらの課題を解決すべくなされたものであり、その目的とするところは、握力の弱い高齢者や女性であっても、とうもろこし等の果実粒を粒の根元から簡単に採取することができる粒取り具を提供するにある。
【課題を解決するための手段】
【０００９】  請求項１の発明は、ステンレス等の弾性金属材からなる長尺帯板の中央をＵ字状に折り返し、左右に挟持片を有する挟持機構を構成して、挟持片の端側を挟持操作する操作部とし、挟持片の内側、即ち相対向する合わせ面にそれぞれが内側へ向けて縦断面が円弧状を形成する短尺状の把持片を挟持具の支点と操作部の間に設け、各把持片の側面の同一方向の一側縁に刃先が同一方向を向くように刃先を形成し、操作部を握って把持部をとうもろこしの芯面に押圧しながらとうもろこしを回転させて、とうもろこし等の果実粒を刃部により連続的に切り取り採取する粒取り具である。【００１０】  請求項２の発明は、各把持片の内側面に斜めの突条部を有し、或いは断片的な突起を有し、その並ぶ位置関係は挟持片の長手方向に対して概２０度〜概５０度の交叉角を持つ粒取り具である。【００１１】  請求項３の発明は、各挟持片の端側を相対向に屈曲させ、それぞれの端部に凸部と凹部の形状を有し、操作部を握ることにより凸部と凹部が咬合する粒取り具である。
【発明の効果】
【００１２】  本発明は、以上説明したように構成されているので、以下に記載する様な効果を奏する。【００１３】  請求項１の発明によれば、ステンレス等の弾性金属材からなる長尺帯板の中央をＵ字状に折り返して左右に挟持片を有する挟持機構を構成している。挟持具の支点から挟持片の端側にある凸部と凹部の嵌合部までの全長を４等分割としたとき、支点から近い概４分の１の位置に把持片が固着されている。また、挟持具の支点から概４分の３の位置に操作部が設けられていることによって、操作部を握って相対向する把持片に１の力を加えようとした場合には、操作部を握る力はモーメントの効果により概３分の１の力に軽減することができるため、握力のない高齢者や女性であっても、とうもろこしを右へ回転させるだけで簡単に果実粒を連続的に切り取って採取することができる。【００１４】  また、挟持機構を有することで把持片の開閉が大きく動くため、とうもろこしの太さの違いや形状の違いがあっても、操作部を握る力加減一つで簡単に対処することができる。【００１５】  請求項２の発明によれば、各把持片の内側面に挟持片の長手方向に対して概２０度〜概５０度の交叉角を持つ突条部があることによって、操作部を握り締めると、突条部がとうもろこしの芯の表面に食い込み把持される。その把持状態を保ちながら、とうもろこしの芯を中心軸にしてとうもろこしを右へ回転させると、突条部がとうもろこしの芯の表面に螺旋状の溝を刻みながらボルトとナットのネジの関係を生じながら把持片の刃先を前方へと押し進めるため、使い手が自らの力で刃先を前方へと押し進める必要がない。【００１６】  請求項３の発明によれば、操作部の端側を相対向に屈曲させ、それぞれの端部に凸部と凹部の形状を有することで、操作部を握ると凸部と凹部が咬合して挟持機構全体が一体化されるため、把持片の刃先がぐらつくことなく安定した状態で作業することができる。【００１７】  以上の効果により、握力の弱い高齢者や女性であっても、本粒取り具でとうもろこしを挟み、とうもろこしを右へ回転させることで、果実粒を連続的に簡単に切り取り採取することができる。
【図面の簡単な説明】
【００１８】
【図１】本発明の斜視図である。
【図２】本発明の側面図である。
【図３】本発明の使用説明図である。
【図４】図２のＡ−Ａ’線で破断した一部断面図である。
【図５】図４のＢ−Ｂ’線で破断した断面図である。
【図６】本発明の他の実施例を示す参考図である。
【図７】本発明の使用状態を示す斜視図である。
【発明を実施するための形態】
【００１９】  以下、本発明における実施の形態について説明する。
【００２０】  図１は、本発明の構成を示す。
イ．ステンレス等の弾性金属材からなる長尺帯板（２）の中央をＵ字状に折り返して、左右に挟持片（３ａ）（３ｂ）を有する挟持具（３）において、挟持片（３ａ）（３ｂ）の長手方向と直交するように短尺状の把持片（４ａ）を各挟持片（３ａ）（３ｂ）の内側に設ける。
【００２１】ロ．把持片（４ａ）は、挟持片（３ａ）（３ｂ）の内側へ向けて縦断面が円弧状を形成して把持片（４ａ）同士が相対して把持部（４）となり、操作部（５）を握って該把持部（４）がとうもろこし（８）の円柱状からなる芯を包むように把持する。
【００２２】ハ．把持片（４ａ）は全周が上辺（４ｃ）と下辺（４ｄ）と前縁（４ｅ）そして、その反対方向である後縁（４ｆ）より構成される。
【００２３】二．把持片（４ａ）には刃部（６）が次のように形成される、すなわち、上辺（４ｃ）と前縁（４ｅ）の角を切欠して、挟持片（３ａ）（３ｂ）の長手方向と直交する辺縁に刃部（６）を形成する。
【００２４】ホ．把持片（４ａ）は、図６のように、前縁（４ｅ）を斜めに切り落として刃部（６）を形成したものでもよい。
【００２５】ヘ．刃部（６）の刃先（６ａ）は、直刀状であっても鋸刃状のものであってもよい。
ト．把持片（４ａ）は、前縁（４ｅ）と下辺（４ｄ）の角を斜辺にすることで、刃部（６）をとうもろこし（９）の粒の根元にあてがい易くするとよい。
【００２６】チ．本粒取り具（１）には、２つの把持片（４ａ）を持つが、同じ形状の同一部品である。挟持片（３ａ）に取り付けられた把持片（４ａ）を、円弧状に沿って１８０度回転させると、挟持片（３ｂ）に取り付く把持片（４ａ）になる。
【００２７】リ．挟持片（３ａ）（３ｂ）と把持片（４ａ）は、鋲（１０）で固着されるが、融着などの方法でもよい。
【００２８】ヌ．挟持片（３ａ）（３ｂ）の端側を相対的に屈曲させて、それぞれの端部に凸部（１２）と凹部（１３）の形状を有しており、操作部（５）を握ることで、図３で示すとおり凸部（１２）と凹部（１３）が咬合して噛み合う。
【００２９】ル．把持片（４ａ）の円弧状の内面に、突条部（７）が、次のように形成される。すなわち、突条部（７）は把持片（４ａ）の上辺（４ｃ）から下辺（４ｄ）間に向けて位置して、傾きは挟持片（３ａ）（３ｂ）の長手方向に対して概２０度〜概５０度の交叉角を有する。
【００３０】オ．突条部（７）の断面形状は、図５で示すような半円形状が好ましいが、三角形状であっても、プレス機械で膨出成型された形状であってもよい。
【００３１】ワ．なお、突条部（７）は、把持片（４ａ）に概半径２ミリの半円径の周上に切込みを入れて、相対向に起曲させた半円形状の突起でもよい。
【００３２】図２は、把持部と操作部の位置関係を示す。
イ．把持片（４ａ）を挟持片（３ａ）（３ｂ）に固着する位置は、挟持具（３）の支点（Ｑ）から挟持片（３ａ）（３ｂ）の端側にある凸部（１２）と凹部（１３）の嵌合部（１１）までの全長を４等分割としたときに、支点（Ｑ）から近い概４分の１の位置に把持片（４ａ）を固着するのを最適とする。
ロ．なお、操作部（５）は、挟持具（３）の支点（Ｑ）から概４分の３の位置を最適とする。
【００３３】ハ．把持片（４ａ）が支点（Ｑ）から概４分の１の位置にあることにより、支点（Ｑ）から概４分の３の位置にある操作部（５）を握り締めて、相対向する把持片（４ａ）に１の力を加えようとした場合には、操作部（５）の力は概３分の１に軽減される。
本発明は、以上のように構成されている。
【００３４】  以下、本粒取り具（１）の使用方法等について順序だて説明する。
【００３５】イ．粒取り具（１）の操作部（５）を握って、把持片（４ａ）の刃部（６）をとうもろこし（８）の粒の根元にあてがって、抉りながら粒の根元へと刃先（６ａ）を押し込む。
【００３６】ロ．次に、把持片（４ａ）の突条部（７）が、とうもろこしの芯（９）に接した位置で操作部（５）の握りを強めて、とうもろこしの芯（９）を押圧して把持する。
ハ．そのまま把持した状態で、とうもろこし（８）を握った他方の手で、とうもろこしの芯（９）を中心軸として、とうもろこし（８）を右へ回転させると、とうもろこしの芯（９）の表面に押圧されて食い込んでいる突条部（７）が、とうもろこしの芯（９）の表面に螺旋状の溝を刻みながら刃部（６）を前方へと押し進める。
【００３７】二．この時の、刃部（６）が前方へ押し進められる作用は、突条部（７）と、とうもろこしの芯（９）が噛み合うことによって、とうもろこしの芯（９）が雄ネジの役割を成し、突条部（７）が雌ネジの役割を成すことによって、各々にボルトとナットの関係が生じたことによる。
【００３８】ホ．とうもろこし（８）を右へ回転させることで、刃部が前へと押し進む作用は、把持片（４ａ）にある突条部（７）の傾きが、挟持片（３ａ）（３ｂ）の長手方向に対して概２０度〜概５０度の交叉角を有していることによる。
ヘ．よって、本粒取り具（１）の使い手が、自らの力でもって刃部（６）を前方へ押し進める必要はなく、粒取り具を握って他方の手で持つとうもろこし（８）を右へ回転させるだけでよい。
【００３９】ト．なお、とうもろこし（８）を、１回転させたときに刃部（６）が前方へと押し進められる距離は、突条部（７）の傾き角度により異なる。
【００４０】  例えば、突条部（７）が挟持片（３ａ）（３ｂ）の長手方向に対して概２０度の傾きを持ち、とうもろこしの芯（９）の直径が３０ミリであったと仮定した場合、とうもろこし（８）を１回転させた場合の刃部（６）が前へと進む距離は３５ミリとなるが、突条部（７）の側面に掛かる負荷、即ち、とうもろこし（８）を回転させる力は小さくて済む。
【００４１】  また、突条部（７）の傾きが概５０度で、とうもろこしの芯（９）の直径が同じく３０ミリであった場合には、とうもろこし（８）を１回転させることで刃部（６）が前へと進む距離は１１２ミリとなるが、突条部（７）の側面に掛かる負荷、即ち、とうもろこし（８）を回転させるときの力は大きくなるため、握力の弱い高齢者や女性が扱うには大変な困難が伴う。
【００４２】  この様に、突条部（７）の側面に掛かる負荷が小さければ、とうもろこし（８）を回転させる力は小さくて済むが、刃部（６）が前方へと進む距離は小さくなるため、とうもろこし（８）１本の粒取り作業を終えるには、とうもろこし（８）を回す回数が多くなる。
【００４３】  いろいろと突条部の傾きを変えて実験を繰り返した経験値から、突条部（７）の傾きは挟持片（３ａ）の長手方向に対して３０度〜４０度であることが好ましい。
【００４４】  また、操作部（５）を握る手の力を加減して、刃部（６）をとうもろこし（８）の粒の根元にあてがうか、粒の根元の少し上にあてがうか、任意の選択で使い手の好みに合ったとうもろこし（８）の粒を切り取って採取することができる。
【００４５】  また、挟持機構を有していることで、把持部（４）の開閉が大きく動くため、とうもろこし（８）の太さの違いや形状の違いがあっても、操作部（５）を握る力加減で、とうもろこし（８）の粒を余り残すことなく切り取って採取することができる。
【００４６】  また、操作部（５）を指先で軽く摘まんで、凸部（１２）と凹部（１３）を咬合させる動作を応用して、苺の蔕や、ジャガイモの新芽などを摘み取ることなどができる。
【符号の説明】
【００４７】１      粒取り具
２      長尺帯板
３      挟持具
３ａ，３ｂ    挟持片
４      把持部
４ａ    把持片
４ｃ    上辺
４ｄ    下辺
４ｅ    前縁
４ｆ    後縁
５      操作部
６      刃部
６ａ    刃先
７      突条部
８      とうもろこし
９      とうもろこしの芯
１０    鋲
１１    咬合部
１２    凸部
１３    凹部
Ｑ      支点
【図１】
2015188749.tif 000003
【図２】
2015188749.tif 000004
【図３】
2015188749.tif 000005
【図４】
2015188749.tif 000006
【図５】
2015188749.tif 000007
【図６】
2015188749.tif 000008
【図７】
2015188749.tif 000009